(57)【要約】【課題】  斬新な電飾効果を有する電飾装置。【解決手段】  レンチキュラシート１０から成形した装飾材１２ａ、１２ｂは、部分的には凹凸があるものの全体としては蒲鉾状で、互いに重ね合わされている。ＬＥＤ１５から放射されて装飾材１２ａ、１２ｂを透過してくる光は、装飾材１２ａ、１２ｂ上での位置や観察者の位置等に応じて、複雑に変化する。これにより、従来のローレット等のレンズでは得ることができない、きわめて斬新で優れた電飾効果が得られる。【選択図】  図２
2005131891.tif 000002
【特許請求の範囲】
【請求項１】
合成樹脂製透明シートの片面に繰り返しパターンでレンズ群を設けたレンチキュラシートを全体として片側に凸で反対側が空洞となる立体形状に成形してなる装飾材。
【請求項２】
請求項１記載の装飾材と、
該装飾材の前記空洞側に配された発光体と
を備えることを特徴とする電飾装置。
【請求項３】
請求項２記載の電飾装置において、
前記レンズ群の繰り返しパターンが整合しない前記装飾材を、一方が他方の前記空洞に収容される構造に複数重ねて、
該複数の装飾材の中で最も内側になる前記装飾材の前記空洞側に前記発光体を配したことを特徴とする電飾装置。
【請求項４】
請求項３記載の電飾装置において、
前記装飾材の重ね枚数は２枚であり、
該２枚の装飾材は共に、直線状の凸条を平行配置する繰り返しパターンにて形成された前記レンズ群を有する前記レンチキュラシートにて成形され、
互いの前記凸条の方向を異ならせて重ねられている
ことを特徴とする電飾装置。
【発明の詳細な説明】
【技術分野】
【０００１】
本発明は、光学的な視覚効果を有する装飾材及びこれを用いる電飾装置の技術分野に属する。
【背景技術】
【０００２】
ＬＥＤ等の発光体を備える電飾装置においては、ローレット等のレンズにて光を拡散させることがある。
また、図柄等の前面側にレンチキュラシートを配置することで、視覚的な効果を狙った装飾技術もある。
【特許文献１】特開２０００−７９２１６号公報
【発明の開示】
【発明が解決しようとする課題】
【０００３】
ローレット等のレンズにて光を拡散させるものは、光の拡散パターンが規則的になるので、面白みに欠けることがある。レンチキュラシートを光拡散用のレンズとして用いることも可能であるが、光の拡散パターンが規則的になる点は変わりがない。
【課題を解決するための手段】
【０００４】
請求項１記載の装飾材は、合成樹脂製透明シートの片面に繰り返しパターンでレンズ群を設けたレンチキュラシートを全体として片側に凸で反対側が空洞となる立体形状に成形してなる。
【０００５】
レンチキュラシートは写真や画像等を立体視させる光学材料として周知であり、直線状の凸条（断面が半円状や三角状等）を平行配置する繰り返しパターンのレンズ群を有するものが一般的である。本発明には、特段の制限なしに公知のレンチキュラシートを使用できる。
【０００６】
レンチキュラシートの材質は、透明であればよいので特に限定はないが、ポリエチレンテレフタレート、ポリカーボネート、アクリル等が推奨される。
レンチキュラシートの板厚は、下記のような成形が可能で、また成形後の立体形状を維持可能であればよいので、一律には定まらないが０．２〜２．０ｍｍ程度が好ましい。
【０００７】
レンチキュラシートを立体形状に成形するには、真空成形、圧空成形、真空圧空成形、プレス成形等を用いればよい。
レンチキュラシートを全体として片側に凸で反対側が空洞となる立体形状に成形する目的の一つは、レンズ群のパターンにゆがみを与えることにある。つまり、整然としたパターン構造であるが故に立体視等の効果を発揮できるレンチキュラシートを敢えてゆがませて使用する点が本発明の特徴の一つである。
【０００８】
従って、例えば円筒状や円錐状等の整然とした立体形状はどちらかと言えば好ましくなく、部分毎に不規則となる形状、例えば動物（想像上の動物を含む）、花等の植物、岩石等を象った形状が好ましい。勿論、これら生物や岩石等の自然物の象りに限らず、適宜に不規則な形状であればよい。
【０００９】
また、全体として片側に凸で反対側が空洞となっていればよく、部分的に凹になる箇所が存在しても構わない。むしろ、上述の不規則性を得るためには、部分的に凹になる箇所が存在する方が複雑化して好ましい。
【００１０】
かかる立体形状に成形する目的のもう一つは、請求項２〜４の電飾装置に用いる際に、光源となるＬＥＤ等との間に適宜の距離を確保するためである。
空洞側に発光体を配した場合、発光体と装飾材との距離が近すぎると発光体から出た光が広がらないうちに、つまり点的ないしスポット状に装飾材に入射するので、レンズ群のパターンにゆがみを与えたことによる効果が発揮されないことがある。上記の間隔はこの不具合を回避して良好な効果を得るためである。
【００１１】
つまり、請求項１の装飾材は請求項２〜４の電飾装置に用いると優れた効果を発揮する。ただし、背後に光源を配さない形態で装飾材を使用しても構わない。
請求項２記載の電飾装置は、請求項１記載の装飾材と、該装飾材の前記空洞側に配された発光体とを備えることを特徴とする。
【００１２】
発光体としては、ＬＥＤ（単色、多色）、電球、蛍光管、ネオン管等を使用できる。発光体の種類、形状等に特段の制限は無いが、発光域が面的に広いものよりも、点発光又は線発光するものが好ましい。
【００１３】
発光体から出て装飾材に入射した光の屈折（放射）方向は、装飾材の部分的な凸、凹又は凹凸によるレンズ群のパターンにゆがみにより、規則的にはならない。しかし、レンズ群のパターンはゆがんでいるだけで破壊されているわけではないので、ある程度の規則性が維持される。このため、装飾材を透過した発光体の像は、装飾材上での発光位置、観察者の位置等に応じて複雑に変化する。これにより、従来のローレット等のレンズでは得ることができない、優れた装飾効果が得られる。
【００１４】
請求項３記載の電飾装置は、請求項２記載の電飾装置において、前記レンズ群の繰り返しパターンが整合しない前記装飾材を、一方が他方の前記空洞に収容される構造に複数重ねて、該複数の装飾材の中で最も内側になる前記装飾材の前記空洞側に前記発光体を配したことを特徴とする。
【００１５】
「レンズ群の繰り返しパターンが整合しない」というのは、重なり合わないという意味でありパターンが互いに異なることのみを言うのではない。そのような装飾材を、一方が他方の空洞に収容される構造に複数重ねて、複数の装飾材の中で最も内側になる装飾材の空洞側に発光体を配したので、請求項２の効果を向上させる。
【００１６】
この場合、装飾材の重ね枚数は２枚で十分であるが３枚以上にしてもよい。
特に、請求項４記載のように、前記装飾材の重ね枚数は２枚であり、該２枚の装飾材は共に、直線状の凸条を平行配置する繰り返しパターンにて形成された前記レンズ群を有する前記レンチキュラシートにて成形され、互いの前記凸条の方向を異ならせて重ねられている構成とすれば、発光体からの光を縦横に、すなわち矩形の像を形成するような形態で拡散させることができる。
【００１７】
互いの凸条の方向を異ならせて（例えば直交させて）重ねればよいので１種類のレンチキュラシートで済む。
【発明を実施するための最良の形態】
【００１８】
本発明を遊技機（例えばパチンコ機、スロットマシン）の電飾装置に適用した例にて、最良の実施形態を説明する。
図１に示すように直線状の凸条１１を平行配置する繰り返しパターンにて形成されたレンズ群を有するレンチキュラシート１０を使用し、２種類の装飾材１２ａ、１２ｂを作る。なお、図１は凸条１１の方向を示すための模式的な図であり、凸条１１の配置密度や幅等を正確に表してはいない。
【００１９】
装飾材１２ａ、１２ｂは同じ金型を用いて真空圧空成形されており、寸法、形状は実質的に等しい。ただし、同じレンチキュラシート１０から成形されているものの、互いを重ね合わせた際には図１（ｃ）に示すようにそれぞれの凸条１１が直交するように設定されている。但し、立体的に成形されているから、正確に直交するわけではない。
【００２０】
これら装飾材１２ａ、１２ｂを用いた電飾装置２０の断面構造は、図２に示す通りである。
装飾材１２ａ、１２ｂは、部分的には凹凸になっているが、全体としては片側に凸で反対側が空洞となる立体形状に成形されていて、装飾材１２ａ、１２ｂは互いに重ね合わされている。上述したように装飾材１２ａ、１２ｂの寸法、形状は実質的に等しいが、使用したレンチキュラシート１０の板厚が０．２ｍｍと小さく、また材質もＰＥＴであるから、装飾材１２ａ、１２ｂはほぼ緩み無く重なり合う。
【００２１】
これら装飾材１２ａ、１２ｂは、保持部材を兼ねる基板１３に接着されている。装飾材１２ａ、１２ｂの内側（空洞）には発光体であるＬＥＤ１５が適宜間隔で配されて、基板１３に取り付けられている。基板１３はプリント基板であり、ＬＥＤ１５の配線が設けられているが、その図示は省略した。
【００２２】
ＬＥＤ１５を点灯すると、その光はＬＥＤ１５を中心として放射されて装飾材１２ａ、１２ｂに入射する。
装飾材１２ａ、１２ｂは部分的には凹凸があり、全体的には蒲鉾状に膨らんでいるので、原材料となったレンチキュラシート１０では整然と平行に走っていた凸条１１が、不規則にゆがんでいる。但し、凸条１１が並びあっている構造自体は維持されており、また凸条１１同士の間隔等も大きな変化はない。つまり、元の凸条１１のパターンはゆがんではいるが、ある程度の規則性は維持されている。
【００２３】
このため、装飾材１２ａ、１２ｂを透過したＬＥＤ１５の光は、装飾材１２ａ、１２ｂ上での位置や観察者の位置等に応じて、例えば図３（ａ）〜（ｄ）のように複雑に変化する。また、ときには図３（ｅ）のように整然とした像に見えることもある。さらには、図３（ｆ）のように立体的に重なって見えることもある（単位像の形状は様々である。）。これにより、従来のローレット等のレンズでは得ることができない、きわめて斬新で優れた電飾効果が得られる。
【００２４】
この電飾装置２０は、例えばパチンコ機の前面部分の飾り、遊技盤のサイド飾り、スロットマシンの前面飾り等として使用される。装飾材１２ａ、１２ｂの材質（ＰＥＴ、ポリカーボネート、アクリル等）、レンズ群のパターン、装飾材１２ａ、１２ｂの形状、発光体であるＬＥＤ１５の配置や数等は、電飾装置２０の設置場所、遊技機全体のデザインとの調和等に応じて適宜選択されればよい。
【図面の簡単な説明】
【００２５】
【図１】装飾体の成形の説明図。
【図２】電飾装置の断面構造の説明図。
【図３】電飾装置における発光体の像の説明図。
【符号の説明】
【００２６】
１０・・・レンチキュラシート、
１１・・・凸条、
１２ａ、１２ｂ・・・装飾材、
１３・・・基板、
２０・・・電飾装置
【図１】
2005131891.tif 000003
【図２】
2005131891.tif 000004
【図３】
2005131891.tif 000005